(57)【要約】【課題】  ＯＳＤ表示中の番組見逃しを防止する放送受信装置を実現する。【解決手段】  受信した放送の番組配列情報ＳＩに視聴制限データが含まれていることを番組情報処理部１３が検出すると、システムコントローラ１５は視聴制限された番組の録画を録画再生部１７に指示すると共に、視聴制限を解除するためのパスワード入力画面をＯＳＤ表示させる。パスワード入力画面を用いたパスワード認証が完了すると、システムコントローラ１５は録画再生部１７に対し、録画しておいた番組内容の追いかけ再生開始を指示し、その再生位置が録画位置に追いついた時点で追いかけ再生および録画を停止させる。この結果、視聴制限された番組を受信し始めてから視聴制限を解除するパスワード認証が完了するまでの間、つまりＯＳＤ表示中の番組見逃しを防止することができる。【選択図】  図１
2006345378.tif 000002
【特許請求の範囲】
【請求項１】
番組を受信する受信手段と、
前記受信手段により受信される番組の視聴が不可能な状態になった場合に、その番組の録画を指示する一方、当該番組の視聴が可能となった場合に再生を指示する録画再生指示手段と、
前記録画再生指示手段からの録画指示に従って前記受信手段が受信する視聴が不可能な番組を録画しつつ、その録画された番組を前記録画再生指示手段からの再生指示に従って追いかけ再生する録画再生手段と
を具備することを特徴とする放送受信装置。
【請求項２】
前記録画再生指示手段は、前記受信手段により受信される番組が視聴制限された番組であるか否かを判定する判定手段を含み、当該判定手段により視聴制限された番組であると判定されて視聴が不可能な状態になった場合に、その番組の録画を指示する一方、視聴制限の解除操作完了後当該番組の視聴が可能となった場合に再生を指示することを特徴とする請求項１記載の放送受信装置。
【請求項３】
前記放送受信装置は、さらに前記録画再生手段の追いかけ再生位置が録画位置に追いついた時点で前記録画再生手段に追いかけ再生および録画の停止を指示する録画停止指示手段を具備することを特徴とする請求項１記載の放送受信装置。
【請求項４】
前記録画再生指示手段は、前記受信手段により受信される番組が視聴制限された番組であるか否かを判定する判定手段を含み、当該判定手段により視聴制限された番組であると判定されて視聴が不可能な状態になった場合に、その番組の録画を指示する一方、視聴制限の解除操作完了後当該番組の視聴が可能となった場合に再生を指示し、前記受信手段が視聴制限された番組から他の番組に受信変更して当該番組の視聴が可能となった場合に、再生および録画の停止を指示すると共に、録画した内容の消去を指示することを特徴とする請求項１記載の放送受信装置。
【請求項５】
前記録画再生指示手段は、視聴制限の解除操作が一定時間内に完了しない場合に、録画中止および録画内容の消去を前記録画再生手段に指示する中止指示手段をさらに具備することを特徴とする請求項２に記載の放送受信装置。
【請求項６】
前記録画再生指示手段は、視聴制限の解除操作が不適もしくは中断された場合に、録画中止および録画内容の消去を前記録画再生手段に指示する中止指示手段をさらに具備することを特徴とする請求項２に記載の放送受信装置。
【請求項７】
前記録画再生指示手段は、ユーザ操作に応じて操作画面の表示および消去を指示する指示手段を含み、前記指示手段により操作画面の表示が指示されて視聴が不可能な状態になった場合に、前記受信手段により受信される番組の録画を指示し、前記指示手段により操作画面の消去が指示されて視聴が可能な状態になった場合に、当該操作画面が画面表示されている間に録画された番組の再生を指示することを特徴とする請求項１記載の放送受信装置。
【請求項８】
前記録画再生指示手段は、前記指示手段による操作画面の消去操作が一定時間内に完了しない場合に、録画中止および録画内容の消去を前記録画再生手段に指示する中止指示手段をさらに具備することを特徴とする請求項７に記載の放送受信装置。
【請求項９】
番組を受信する受信処理と、
前記受信処理により受信される番組の視聴が不可能な状態になった場合に、その番組の録画を指示する一方、当該番組の視聴が可能となった場合に再生を指示する録画再生指示処理と、
前記録画再生指示処理からの録画指示に従って前記受信処理により受信する視聴が不可能な番組を録画しつつ、その録画された番組を前記録画再生指示処理からの再生指示に従って追いかけ再生する録画再生処理と
をコンピュータで実行させることを特徴とする放送受信プログラム。
【発明の詳細な説明】
【技術分野】
【０００１】
本発明は、視聴制限やＯＳＤ表示中によって視聴不可能となることによる番組見逃しを防止する放送受信装置および放送受信プログラムに関する。
【背景技術】
【０００２】
デジタル放送では、番組放送の他に、例えば周知の電子番組表ＥＰＧや番組視聴を年齢で制限する視聴制限データ（パレンタルレート記述子）を含む番組配列情報ＳＩも送出される。番組配列情報ＳＩを用いて番組の視聴制限を行う受信装置として、例えば特許文献１には、視聴制限が設定された番組を受信した場合に、予め定められたパスワード入力に応じて視聴制限を解除し、番組視聴を可能にする技術が開示されている。
【０００３】
【特許文献１】特開平１１−１６４２２１号公報
【発明の開示】
【発明が解決しようとする課題】
【０００４】
ところで、番組受信中に、例えばパスワード入力を行って視聴制限を解除する操作や、電子番組表ＥＰＧを表示させる操作など各種機能操作を行うと、その機能操作をガイドするＯＳＤ表示プレーンが番組映像を隠してしまい、その間の番組が視聴不可能になってしまうという問題が生じる。
【０００５】
そこで本発明は、上述した事情に鑑みてなされたもので、視聴制限やＯＳＤ表示中によって視聴不可能となることによる番組見逃しを防止することができる放送受信装置および放送受信プログラムを提供することを目的としている。
【課題を解決するための手段】
【０００６】
上記目的を達成するため、請求項１に記載の発明では、番組を受信する受信手段と、前記受信手段により受信される番組の視聴が不可能な状態になった場合に、その番組の録画を指示する一方、当該番組の視聴が可能となった場合に再生を指示する録画再生指示手段と、前記録画再生指示手段からの録画指示に従って前記受信手段が受信する視聴が不可能な番組を録画しつつ、その録画された番組を前記録画再生指示手段からの再生指示に従って追いかけ再生する録画再生手段とを具備することを特徴とする。
【０００７】
上記請求項１に従属する請求項２に記載の発明では、前記録画再生指示手段は、前記受信手段により受信される番組が視聴制限された番組であるか否かを判定する判定手段を含み、当該判定手段により視聴制限された番組であると判定されて視聴が不可能な状態になった場合に、その番組の録画を指示する一方、視聴制限の解除操作完了後当該番組の視聴が可能となった場合に再生を指示することを特徴とする。
【０００８】
上記請求項１に従属する請求項３に記載の発明では、前記放送受信装置は、さらに前記録画再生手段の追いかけ再生位置が録画位置に追いついた時点で前記録画再生手段に追いかけ再生および録画の停止を指示する録画停止指示手段を具備することを特徴とする。
【０００９】
上記請求項１に従属する請求項４に記載の発明では、前記録画再生指示手段は、前記受信手段により受信される番組が視聴制限された番組であるか否かを判定する判定手段を含み、当該判定手段により視聴制限された番組であると判定されて視聴が不可能な状態になった場合に、その番組の録画を指示する一方、視聴制限の解除操作完了後当該番組の視聴が可能となった場合に再生を指示し、前記受信手段が視聴制限された番組から他の番組に受信変更して当該番組の視聴が可能となった場合に、再生および録画の停止を指示すると共に、録画した内容の消去を指示することを特徴とする。
【００１０】
上記請求項２に従属する請求項５に記載の発明では、前記録画再生指示手段は、視聴制限の解除操作が一定時間内に完了しない場合に、録画中止および録画内容の消去を前記録画再生手段に指示する中止指示手段をさらに具備することを特徴とする。
【００１１】
上記請求項２に従属する請求項６に記載の発明では、前記録画再生指示手段は、視聴制限の解除操作が不適もしくは中断された場合に、録画中止および録画内容の消去を前記録画再生手段に指示する中止指示手段をさらに具備することを特徴とする。
【００１２】
上記請求項１に従属する請求項７に記載の発明では、前記録画再生指示手段は、ユーザ操作に応じて操作画面の表示および消去を指示する指示手段を含み、前記指示手段により操作画面の表示が指示されて視聴が不可能な状態になった場合に、前記受信手段により受信される番組の録画を指示し、前記指示手段により操作画面の消去が指示されて視聴が可能な状態になった場合に、当該操作画面が画面表示されている間に録画された番組の再生を指示することを特徴とする。
【００１３】
上記請求項７に従属する請求項８に記載の発明では、前記録画再生指示手段は、前記指示手段による操作画面の消去操作が一定時間内に完了しない場合に、録画中止および録画内容の消去を前記録画再生手段に指示する中止指示手段をさらに具備することを特徴とする。
【００１４】
請求項９に記載の発明では、番組を受信する受信処理と、前記受信処理により受信される番組の視聴が不可能な状態になった場合に、その番組の録画を指示する一方、当該番組の視聴が可能となった場合に再生を指示する録画再生指示処理と、前記録画再生指示処理からの録画指示に従って前記受信処理により受信する視聴が不可能な番組を録画しつつ、その録画された番組を前記録画再生指示処理からの再生指示に従って追いかけ再生する録画再生処理とをコンピュータで実行させることを特徴とする。
【発明の効果】
【００１５】
請求項１、９に記載の発明によれば、受信した番組が視聴不可能となった場合に、この視聴不可能な番組を録画し始め、視聴可能となった場合にその録画された番組を追いかけ再生するので、受信された番組が視聴不可能となってから視聴可能となるまでの間の番組の見逃しを防止できる。
【発明を実施するための最良の形態】
【００１６】
以下、図面を参照して本発明の実施の形態について説明する。
Ａ．第１実施形態
（１）構成
図１は本発明の第１実施形態による放送受信装置の構成を示すブロック図である。この図において、チューナ１０は、後述のシステムコントローラ１５により設定されるチャンネル番号ＣＨのデジタル放送信号を、アンテナＡＮＴを介して選局受信する。復調部１１は、チューナ１０が選局受信したデジタル放送信号をＯＦＤＭ復調してトランスポートストリームＴＳを出力する。デマルチプレクサ１２は、復調部１１から出力されるトランスポートストリームＴＳをＡＶ（映像・音声）ストリームとデータストリームとに分離する。
【００１７】
番組情報処理部１３は、デマルチプレクサ１２から出力されるデータストリームを構成する番組配列情報ＳＩに基づき電子番組表ＥＰＧを発生する他、番組視聴を年齢で制限するための視聴制限データ（パレンタルレート記述子）が番組配列情報ＳＩに含まれているか否かを判断し、視聴制限データが含まれている場合に視聴制限検出信号を発生する。入力部１４は、例えば周知の赤外線リモコン等で構成され、駆動電源のオンオフを指示する電源スイッチや、受信チャンネルを切り替えるチャンネルスイッチ等を備え、スイッチ操作に対応したイベントを発生してシステムコントローラ１５に供給する。
【００１８】
システムコントローラ１５は、入力部１４から供給されるスイッチ操作イベントや、番組情報処理部１３から供給される視聴制限検出信号に応じて、装置各部を制御する。例えば入力部１４からパワーオン（又はパワーオフ）スイッチ操作に対応した操作イベントが与えられると、各部の駆動電源をオン設定（又はオフ設定）したり、チャンネルスイッチ操作に対応した操作イベントあるいは電子番組表ＥＰＧを用いた選局操作により指定される受信局のチャンネル番号ＣＨをチューナ１０に設定する。
【００１９】
システムコントローラ１５は、番組情報処理部１３が発生する視聴制限検出信号に従ってＡＶデコーダ１６、録画再生部１７およびＡＶ出力部１８に動作指示を与える。すなわち、番組情報処理部１３から視聴制限検出信号が供給されていない状態、つまり視聴制限されていない番組を受信している場合であれば、システムコントローラ１５は、ＡＶデコーダ１６に対してデコード出力を次段のＡＶ出力部１８へ供給するよう指示する。
【００２０】
一方、番組情報処理部１３から視聴制限検出信号が供給されている状態であると、システムコントローラ１５は、ＡＶデコーダ１６に対し、ＡＶ出力部１８へのデコード出力の一時停止を指示すると共に、録画再生部１７に録画開始を指示する。また、システムコントローラ１５は、番組情報処理部１３から視聴制限検出信号が供給されていると、ＡＶ出力部１８に対してパスワード入力画面の発生を指示する。
【００２１】
後述するように、システムコントローラ１５は、パスワード入力画面を用いて視聴制限を解除するためのパスワード認証が行われると、録画内容の追いかけ再生開始を録画再生部１７に指示する。システムコントローラ１５は、録画再生部１７が追いかけ再生を開始した場合、ＡＶ出力部１８に録画再生部１７の再生出力を映像表示および音声出力するよう指示する。システムコントローラ１５では、録画再生部１７の追いかけ再生位置が現在の録画位置に追い付いた場合や、視聴制限された番組の録画中に受信チャンネルが変更された場合に、録画停止および再生停止を録画再生部１７に指示する。
【００２２】
ＡＶデコーダ１６は、デマルチプレクサ１２から供給されるＡＶストリームを映像データおよび音声データ（デコード出力）に復号してＡＶ出力部１８および録画再生部１７に出力する。ＡＶデコーダ１６では、システムコントローラ１５からの指示に従い、ＡＶ出力部１８へのデコード出力を一時停止させる。録画再生部１７は、システムコントローラ１５の指示に従い、ＡＶデコーダ１６から出力される映像データおよび音声データを録画しながら、その録画内容を追いかけ再生（タイムシフト再生）し、その再生出力をＡＶ出力部１８に供給する。録画再生部１７は、例えば早送り再生により追いかけ再生位置が現在の録画位置に追い付いた場合や、視聴制限された番組の録画中に受信チャンネルが変更された場合に、システムコントローラ１５の指示に従い、録画および追いかけ再生を停止する。
【００２３】
ＡＶ出力部１８では、ＯＳＤ表示プレーン上で表示させる各種画面データを備えており、システムコントローラ１５からパスワード入力画面の発生指示があった場合には、パスワード入力画面データを用いてＯＳＤ表示プレーン上にてパスワード入力画面を表示させる。なお、後述するように、このパスワード入力画面を用いて視聴制限を解除する適正なパスワード認証が行われた場合、システムコントローラ１５は、録画内容の追いかけ再生開始を録画再生部１７に指示するようになっている。
【００２４】
また、ＡＶ出力部１８は、システムコントローラ１５からの指示によりＡＶデコーダ１６あるいは録画再生部１７のいずれかの出力（映像データおよび音声データ）を映像表示および音声出力する。すなわち、番組情報処理部１３から視聴制限検出信号が供給されていない状態であると、システムコントローラ１５の指示に従ってＡＶ出力部１８は、ＡＶデコーダ１６から出力される映像データおよび音声データに基づき映像表示および音声出力する。
【００２５】
一方、視聴制限検出信号が供給された状態であると、上述したように、システムコントローラ１５は、ＡＶデコーダ１６に対してＡＶ出力部１８へのデコード出力停止を指示すると共に、録画再生部１７に録画開始を指示し、その後に視聴制限を解除する適正なパスワード認証が行われると、録画内容の追いかけ再生開始を録画再生部１７に指示する。録画再生部１７が追いかけ再生を行うと、ＡＶ出力部１８は、システムコントローラ１５の指示に従い、録画再生部１７が追いかけ再生した出力（映像データおよび音声データ）を映像表示および音声出力する。また、ＡＶ出力部１８は、録画再生部１７が追いかけ再生を停止した場合、、システムコントローラ１５の指示に従い、ＡＶデコーダ１６から出力される映像データおよび音声データに基づき映像表示および音声出力する。
【００２６】
（２）動作
次に、図２〜図９を参照して第１実施形態の動作を説明する。第１実施形態による放送受信装置に主電源が投入されていると、システムコントローラ１５は、図２に図示するメインルーチンのステップＳＡ１に処理を進め、装置各部を初期化するイニシャライズを行う。イニシャライズが完了すると、システムコントローラ１５は、ステップＳＡ２以降を実行し、入力部１４から供給される操作イベントあるいは番組情報処理部１３から供給される視聴制限検出信号に応じて装置各部を制御する。
【００２７】
先ずステップＳＡ２では、電源スイッチオン操作に対応したイベントが入力部１４から供給されるまで待機する。そして、電源スイッチオン操作に対応したイベントが入力部１４から供給されると、ここでの判断結果が「ＹＥＳ」になり、ステップＳＡ３に進み、フラグＯＮＦに「１」をセットして装置駆動状態であることを表す。次いで、ステップＳＡ４では、装置各部に電源オンを指示し、続くステップＳＡ５では、レジスタＣＨに格納されるチャンネル番号をチューナ１０に設定する。これにより、チューナ１０はチャンネル番号ＣＨの放送を選局受信する。
【００２８】
次に、ステップＳＡ６では、電源スイッチオフ操作に対応したイベントが入力部１４から供給されたか否かを判断する。ここで、電源スイッチオフ操作に対応したイベントが入力部１４から供給されると、判断結果が「ＹＥＳ」になり、ステップＳＡ７に進み、フラグＯＮＦをゼロリセットした後、ステップＳＡ８において装置各部に電源オフを指示して上述のステップＳＡ２に処理を戻す。以後、電源スイッチオン操作に対応したイベントが入力部１４から供給されるまで待機状態となる。
【００２９】
電源スイッチオフ操作に対応したイベントが入力部１４から供給されない場合には、上記ステップＳＡ６の判断結果が「ＮＯ」になり、図３に図示するステップＳＡ９に進む。ステップＳＡ９では、チャンネルスイッチ操作に対応したチャンネル変更イベントが入力部１４から供給されたか否かを判断する。チャンネル変更イベントが入力部１４から供給されなければ、ここでの判断結果は「ＮＯ」になり、図４に図示するステップＳＡ１９に進む。ステップＳＡ１９では、再生フラグＰＦが「１」、すなわち録画再生部１７に再生開始を指示した状態であるかどうかを判断する。フラグＰＦが「０」、つまり録画再生部１７が再生停止中であれば、判断結果は「ＮＯ」になり、後述するステップＳＡ２３（図５参照）に処理を進める。
【００３０】
一方、上記ステップＳＡ９（図３参照）において、チャンネルスイッチ操作に対応したチャンネル変更イベントが入力部１４から供給されると、判断結果は「ＹＥＳ」になり、ステップＳＡ１０に進む。ステップＳＡ１０では、上述のステップＳＡ１９（図４参照）と同様、フラグＰＦが「１」であるかどうかを判断する。ここで、フラグＰＦが「０」（録画再生部１７が再生停止中）であれば、判断結果は「ＮＯ」になり、ステップＳＡ１４に進む。
【００３１】
ステップＳＡ１４〜ＳＡ１５では、視聴制限された番組を検出したか否かを表す視聴制限検出フラグＬＦをゼロリセットして未検出状態である旨を表すと共に、視聴制限された番組の視聴制限を解除するためのパスワード認証を終えたかどうかを表す認証フラグＶＦをゼロリセットして未認証の旨を表す。次いで、ステップＳＡ１６では、レジスタＣＨに格納されるチャンネル番号を、チャンネル変更前に受信していたチャンネル番号としてレジスタＣＨＢに退避する。そして、ステップＳＡ１７では、チャンネルスイッチ操作により変更された新たなチャンネル番号をレジスタＣＨにストアし、続くステップＳＡ１８では、レジスタＣＨに格納されるチャンネル番号をチューナ１０に設定する。これにより、チューナ１０は変更されたチャンネル番号ＣＨの放送を選局受信する。
【００３２】
この後、システムコントローラ１５は、図５に図示するステップＳＡ２３に処理を進め、認証フラグＶＦが「０」であるか否かを判断する。視聴制限を解除するためのパスワード認証が既に行われている場合には、認証フラグＶＦは「１」になるので、判断結果は「ＮＯ」になり、前述したステップＳＡ６（図２参照）に処理を戻す。
【００３３】
一方、視聴制限を解除するためのパスワード認証が行われていなければ、上記ステップＳＡ２３の判断結果は「ＹＥＳ」になり、ステップＳＡ２４に進む。ステップＳＡ２４では、番組情報処理部１３が番組配列情報ＳＩから視聴制限データを検出して視聴制限検出信号を発生したか否かを判断する。つまり、視聴制限された番組を受信しているかどうかを判断する。視聴制限された番組を受信していなければ、判断結果は「ＮＯ」になり、前述したステップＳＡ６（図２参照）に処理を戻す。
【００３４】
これに対し、視聴制限された番組を受信すると、上記ステップＳＡ２４の判断結果が「ＹＥＳ」になり、ステップＳＡ２５に進む。ステップＳＡ２５では、視聴制限検出フラグＬＦが「０」、すなわち視聴制限された番組を初めて受信したか否かを判断する。視聴制限検出フラグＬＦが「１」にセットされ、既に視聴制限された番組を受信している状態であれば、判断結果は「ＮＯ」になり、後述のステップＳＡ３２（図６参照）に処理を進める。
【００３５】
一方、視聴制限された番組を初めて受信した状態であると、上記ステップＳＡ２５の判断結果は「ＹＥＳ」になり、ステップＳＡ２６に進み、視聴制限検出フラグＬＦを「１」にセットする。次いで、ステップＳＡ２７では、ＡＶデコーダ１６に対してＡＶ出力部１８へのデコード出力の一時停止を指示する。そして、ステップＳＡ２８では、録画フラグＲＦに「１」をセットし、続くステップＳＡ２９では、録画再生部１７に録画開始を指示する。これにより、視聴制限された番組を受信すると、自動的に当該番組の映像表示および音声出力が停止されると同時に、当該番組の録画が開始される。
【００３６】
次に、ステップＳＡ３０では、パスワード入力画面の発生をＡＶ出力部１８に指示する。これにより、ＡＶ出力部１８では、自己が備えるパスワード入力画面データを用い、例えば図９に図示する一例のパスワード入力画面をＯＳＤ表示プレーン上に表示させる。次いで、ステップＳＡ３１では、パスワード入力待ち時間を計時するタイマにカウント開始を指示した後、前述のステップＳＡ６（図２参照）に処理を戻す。
【００３７】
そして、視聴制限された番組を受信している状態で上述したステップＳＡ２５（図５参照）に進むと、この場合、視聴制限検出フラグＬＦが「１」にセットされているので、判断結果は「ＮＯ」となり、図６に図示するステップＳＡ３２に処理を進める。ステップＳＡ３２では、タイマフルカウントであるか否か、つまりパスワード入力待ち時間が一定時間経過したタイムアップであるかどうかを判断する。
【００３８】
タイムアップであれば、上記ステップＳＡ３２の判断結果は「ＹＥＳ」になり、ステップＳＡ３３に進み、レジスタＣＨＢに退避しておいたチャンネル変更前のチャンネル番号をレジスタＣＨにストアする。次いで、ステップＳＡ３４では、レジスタＣＨに格納されるチャンネル番号をチューナ１０に設定する。この結果、パスワード入力待ち時間内にパスワードの入力が行われずにタイムアップになると、視聴制限された番組を受信する以前のチャンネルに変更される。
【００３９】
この後、ステップＳＡ４１に進み、視聴制限された番組を受信する以前のチャンネルに変更されたのに伴い、視聴制限検出フラグＬＦをゼロリセットする。次に、ステップＳＡ４２では、パスワード入力画面消去をＡＶ出力部１８に指示する。そして、ステップＳＡ４３では、ＡＶデコーダ１６に対してＡＶ出力部１８へのデコード出力再開を指示した後、前述のステップＳＡ６（図２参照）に処理を戻す。これにより、視聴制限された番組を受信する以前の受信状態に復帰する。
【００４０】
これに対し、タイムアップ以前にパスワード入力が行われた場合には、上記ステップＳＡ３２の判断結果が「ＮＯ」になり、ステップＳＡ３５に進む。ステップＳＡ３５では、入力されたパスワードが「キャンセル」を表すものであるか否かを判断する。図９に図示する一例のパスワード入力画面では、パスワード入力エリアＰＩＡに「００００」が入力された時にパスワード入力のキャンセルと見做すようになっている。こうしたキャンセル入力が行われた場合には、上記ステップＳＡ３５の判断結果が「ＹＥＳ」になり、上述したステップＳＡ３３以降を実行して、視聴制限された番組を受信する以前の受信状態に復帰させる。
【００４１】
一方、キャンセル入力されなければ、上記ステップＳＡ３５の判断結果は「ＮＯ」になり、ステップＳＡ３６に進み、適正なパスワード入力が行われたか否か判断する。ここで、例えばパスワードとして不適な入力キー操作や入力桁数の不足等、不適なパスワード入力が行われると、判断結果は「ＮＯ」となり、前述のステップＳＡ６（図２参照）に処理を戻す。これに対し、適正なパスワード入力が行われた場合には、判断結果が「ＹＥＳ」になり、ステップＳＡ３７に進み、パスワード認証を行う。そして、パスワード不一致ならば、ここでの判断結果が「ＮＯ」になり、上述したステップＳＡ３３以降を実行して、視聴制限された番組を受信する以前の受信状態に復帰させる。パスワード一致ならば、判断結果は「ＹＥＳ」になり、ステップＳＡ３８に進む。
【００４２】
ステップＳＡ３８〜ＳＡ３９では、認証フラグＶＦおよび再生フラグＰＦにそれぞれ「１」をセットする。ステップＳＡ４０では、録画再生部１７に対して録画内容の追いかけ再生開始を指示する。次いで、ステップＳＡ４１では、視聴制限検出フラグＬＦをゼロリセットし、続くステップＳＡ４２〜ＳＡ４３では、ＡＶ出力部１８にパスワード入力画面消去を指示すると共に、録画再生部１７の追いかけ再生出力（映像データおよび音声データ）を映像表示および音声出力するようＡＶ出力部１８に指示した後、前述のステップＳＡ６（図２参照）に処理を戻す。この結果、パスワード入力画面がＯＳＤ表示されていた期間、すなわち視聴制限された番組を受信し始めてから視聴制限を解除するパスワード認証が完了するまでの間の番組内容が追いかけ再生により視聴可能になるので、ＯＳＤ表示中の番組見逃しを防止することが可能になっている。
【００４３】
さて、こうしてパスワード入力画面がＯＳＤ表示されていた期間の番組内容が追いかけ再生されている状態でチャンネル変更しなければ、前述したステップＳＡ９（図３参照）の判断結果は「ＮＯ」になり、図４に図示するステップＳＡ１９に進み、再生フラグＰＦが「１」であるか否かを判断する。追いかけ再生中であると、再生フラグＰＦは「１」なので、ここでの判断結果は「ＹＥＳ」になり、ステップＳＡ２０に進む。ステップＳＡ２０では、再生位置と録画位置とが一致しているか否か、つまり追いかけ再生位置が現在の録画位置に追いついたかどうかを判断する。現在の録画位置に追いついていなければ、判断結果は「ＮＯ」になり、前述のステップＳＡ２３（図５参照）に進む。一方、例えば早送り再生により追いかけ再生位置が現在の録画位置に追いついた場合には、上記ステップＳＡ２０の判断結果が「ＹＥＳ」になり、ステップＳＡ２１に進む。
【００４４】
ステップＳＡ２１を介して再生停止処理が実行されると、システムコントローラ１５は、図７に図示するステップＳＢ１に処理を進め、追いかけ再生の停止を録画再生部１７に指示する。次いで、ステップＳＢ２では、ＡＶ出力部１８に対して、ＡＶデコーダ１６から出力される受信内容（映像データおよび音声データ）に基づき映像表示および音声出力するよう指示する。そして、ステップＳＢ３に進み、再生フラグＰＦをゼロリセットした後、図４に図示するステップＳＡ２２に処理を進める。
【００４５】
ステップＳＡ２２を介して録画停止処理が実行されると、システムコントローラ１５は、図８に図示するステップＳＣ１に処理を進め、録画停止を録画再生部１７に指示し、続くステップＳＣ２では、これまで録画した内容の消去を録画再生部１７に指示する。そして、ステップＳＣ３に進み、録画フラグＲＦをゼロリセットした後、前述のステップＳＡ２３（図５参照）に進む。
【００４６】
一方、パスワード入力画面がＯＳＤ表示されていた期間の番組内容が追いかけ再生されている状態でチャンネル変更されると、前述したステップＳＡ９（図３参照）の判断結果が「ＹＥＳ」になり、ステップＳＡ１０に進み、再生フラグＰＦが「１」であるか否かを判断する。追いかけ再生中であると、再生フラグＰＦは「１」なので、ここでの判断結果は「ＹＥＳ」になり、ステップＳＡ１１に進む。
【００４７】
ステップＳＡ１１を介して再生停止処理が実行されると、システムコントローラ１５は、図７に図示するステップＳＢ１に処理を進め、追いかけ再生の停止を録画再生部１７に指示する。次いで、ステップＳＢ２では、ＡＶ出力部１８に対して、ＡＶデコーダ１６から出力される受信内容（映像データおよび音声データ）に基づき映像表示および音声出力するよう指示する。そして、ステップＳＢ３に進み、再生フラグＰＦをゼロリセットした後、図３に図示するステップＳＡ１２に処理を進める。
【００４８】
ステップＳＡ１２では、録画フラグＲＦが「１」であるか否かを判断する。録画中であると、判断結果は「ＹＥＳ」になり、ステップＳＡ１３に進む。ステップＳＡ１３を介して再生停止処理が実行されると、システムコントローラ１５は、図８に図示するステップＳＣ１に処理を進め、録画停止を録画再生部１７に指示し、続くステップＳＣ２では、これまで録画した内容の消去を録画再生部１７に指示する。そして、ステップＳＣ３に進み、録画フラグＲＦをゼロリセットした後、前述したステップＳＡ１４以降を実行して、変更されたチャンネル番号ＣＨの放送を選局受信させる。
【００４９】
以上説明したように、第１実施形態では、受信した放送の番組配列情報ＳＩに視聴制限データが含まれていることを番組情報処理部１３が検出すると、システムコントローラ１５は、視聴制限された番組の録画を録画再生部１７に指示すると共に、視聴制限を解除するためのパスワード入力画面をＯＳＤ表示する。そして、パスワード入力画面を用いたパスワード認証が完了すると、録画しておいた番組内容を追いかけ再生し始め、その再生位置が録画位置に追いついた時点で追いかけ再生および録画を停止させるので、視聴制限された番組を受信し始めてから視聴制限を解除するパスワード認証が完了するまでの間、つまりＯＳＤ表示中の番組見逃しを防止し得るようになる。
【００５０】
Ｂ．第２実施形態
上述した第１実施形態では、視聴制限された番組を受信し始めてから視聴制限を解除するパスワード認証が完了するまでの間の番組見逃しを防止するようにしたが、第２実施形態では、例えば電子番組表ＥＰＧを表示させる操作など各種機能操作を行っている間の番組見逃しを防止する。第２実施形態の構成は、第１実施形態と共通するので、その説明については省略する。以下、図１０〜図１４を参照して第２実施形態の動作を説明する。
【００５１】
第２実施形態による放送受信装置に主電源が投入されると、システムコントローラ１５は、図１０に図示するメインルーチンのステップＳＤ１に処理を進め、装置各部を初期化するイニシャライズを行う。イニシャライズが完了すると、システムコントローラ１５は、ステップＳＤ２以降を実行し、入力部１４から供給される操作イベントに応じて装置各部を制御する。
【００５２】
先ずステップＳＤ２では、電源スイッチオン操作に対応したイベントが入力部１４から供給されるまで待機する。そして、電源スイッチオン操作に対応したイベントが入力部１４から供給されると、ここでの判断結果が「ＹＥＳ」になり、ステップＳＤ３に進み、フラグＯＮＦに「１」をセットして装置駆動状態であることを表す。次いで、ステップＳＤ４では、装置各部に電源オンを指示し、続くステップＳＤ５では、レジスタＣＨに格納されるチャンネル番号をチューナ１０に設定する。これにより、チューナ１０はチャンネル番号ＣＨの放送を選局受信する。
【００５３】
次に、ステップＳＤ６では、電源スイッチオフ操作に対応したイベントが入力部１４から供給されたか否かを判断する。ここで、電源スイッチオフ操作に対応したイベントが入力部１４から供給されると、判断結果が「ＹＥＳ」になり、ステップＳＤ７に進み、フラグＯＮＦをゼロリセットした後、ステップＳＤ８において装置各部に電源オフを指示して上述のステップＳＤ２に処理を戻す。以後、電源スイッチオン操作に対応したイベントが入力部１４から供給されるまで待機状態となる。
【００５４】
電源スイッチオフ操作に対応したイベントが入力部１４から供給されなければ、上記ステップＳＤ６の判断結果は「ＮＯ」になり、図１１に図示するステップＳＤ９に進む。ステップＳＤ９では、チャンネルスイッチ操作に対応したチャンネル変更イベントが入力部１４から供給されたか否かを判断する。チャンネル変更イベントが入力部１４から供給されなければ、ここでの判断結果は「ＮＯ」になり、図１２に図示するステップＳＤ１６に進む。ステップＳＤ１６では、再生フラグＰＦが「１」、すなわち録画再生部１７に再生開始を指示した状態であるかどうかを判断する。フラグＰＦが「０」、つまり録画再生部１７が再生停止中であれば、判断結果は「ＮＯ」になり、後述するステップＳＤ２０（図１３参照）に処理を進める。
【００５５】
一方、上記ステップＳＤ９（図１１参照）において、チャンネルスイッチ操作に対応したチャンネル変更イベントが入力部１４から供給されると、判断結果は「ＹＥＳ」になり、ステップＳＤ１０に進む。ステップＳＤ１０では、上述のステップＳＤ１６（図１２参照）と同様、フラグＰＦが「１」であるかどうかを判断する。ここで、フラグＰＦが「０」（録画再生部１７が再生停止中）であれば、判断結果は「ＮＯ」になり、ステップＳＤ１４に進む。ステップＳＤ１４では、チャンネルスイッチ操作により変更された新たなチャンネル番号をレジスタＣＨにストアし、続くステップＳＤ１５では、レジスタＣＨに格納されるチャンネル番号をチューナ１０に設定する。これにより、チューナ１０は変更されたチャンネル番号ＣＨの放送を選局受信する。
【００５６】
この後、システムコントローラ１５は、図１３に図示するステップＳＤ２０に処理を進め、ポップアップ指示の有無を判断する。ポップアップ指示とは、例えば電子番組表ＥＰＧなどの各種機能画面を呼出すためのユーザ入力画面をポップアップさせる指示である。ポップアップ指示が無ければ、ここでの判断結果は「ＮＯ」になり、前述したステップＳＤ６（図１０参照）に処理を戻す。
【００５７】
一方、ポップアップ指示が有ると、上記ステップＳＤ２０の判断結果は「ＹＥＳ」になり、ステップＳＤ２１に進む。ステップＳＤ２１では、録画フラグＲＦが「０」、つまり録画停止中であるかどうかを判断する。録画停止中であれば、判断結果は「ＹＥＳ」になり、ステップＳＤ２２に進み、録画フラグＲＦを「１」にセットする。そして、ステップＳＤ２３では、録画再生部１７に録画開始を指示する。これにより、ポップアップ指示に応じて、録画再生部１７が受信中の番組の録画を開始する。
【００５８】
次に、ステップＳＤ２４では、例えば電子番組表ＥＰＧを画面表示させる等の各種機能を呼出すためのユーザ入力画面の発生をＡＶ出力部１８に指示する。これにより、ＡＶ出力部１８では、自己が備えるユーザ入力画面データを用いてユーザ入力画面をＯＳＤ表示プレーン上にポップアップ表示させる。次いで、ステップＳＤ２５では、ユーザ入力待ち時間を計時するタイマにカウント開始を指示した後、前述のステップＳＤ６（図１０参照）に処理を戻す。
【００５９】
そして、ユーザ入力画面が表示されている状態で上述したステップＳＤ２１（図１３参照）に進むと、録画フラグＲＦが「１」にセットされているので、判断結果が「ＮＯ」となり、図１４に図示するステップＳＤ２６に処理を進める。ステップＳＤ２６では、タイマフルカウントであるか否か、つまりユーザ入力待ち時間が一定時間経過したタイムアップであるかどうかを判断する。タイムアップであれば、上記ステップＳＤ２６の判断結果は「ＹＥＳ」になり、後述のステップＳＤ２８に進む。
【００６０】
一方、タイムアップ以前にユーザ入力が行われた場合には、上記ステップＳＤ２６の判断結果が「ＮＯ」になり、ステップＳＤ２７に進む。ステップＳＤ２７では、ユーザ入力が終了したか否かを判断する。ここで言うユーザ入力とは、ユーザ入力画面において所定機能を選択する操作を指す。こうしたユーザ入力が終了しなかった場合には、判断結果が「ＮＯ」になり、前述のステップＳＤ６（図１０参照）に処理を戻すが、ユーザ入力が終了すると、判断結果は「ＹＥＳ」になり、ステップＳＤ２８に進み、ユーザ入力画面の消去をＡＶ出力部１８に指示する。続いて、ステップＳＤ２９では、「ライブ視聴」又は「タイムシフト再生」のいずれかをユーザに選択させる選択画面の発生をＡＶ出力部１８に指示する。
【００６１】
次いで、ステップＳＤ３０では、選択画面にて「タイムシフト再生」が選択されたか否かを判断する。選択画面にて「ライブ視聴」が選択された場合には、判断結果が「ＮＯ」になり、ステップＳＤ３３に進み、選択画面の消去をＡＶ出力部１８に指示した後、前述のステップＳＤ６（図１０参照）に処理を戻す。
【００６２】
一方、選択画面にて「タイムシフト再生」が選択されると、上記ステップＳＤ３０の判断結果は「ＹＥＳ」になり、ステップＳＤ３１に進む。ステップＳＤ３１では、再生フラグＰＦを「１」にセットし、続くステップＳＤ３２では、録画再生部１７に対して録画内容の追いかけ再生開始を指示する。そして、ステップＳＤ３３に進み、選択画面の消去をＡＶ出力部１８に指示した後、前述のステップＳＤ６（図１０参照）に処理を戻す。この結果、ポップアップ指示に応じてユーザ入力画面や選択画面がＯＳＤ表示されている間の番組内容が追いかけ再生（タイムシスト再生）により視聴可能になるので、ＯＳＤ表示中の番組見逃しを防止することが可能になっている。
【００６３】
さて、ＯＳＤ表示中の番組内容をタイムシフト再生（追いかけ再生）にて視聴している状態でチャンネル変更しなければ、前述したステップＳＤ９（図１１参照）の判断結果は「ＮＯ」になり、図１２に図示するステップＳＤ１６に進み、再生フラグＰＦが「１」であるか否かを判断する。追いかけ再生中であると、再生フラグＰＦは「１」なので、ここでの判断結果は「ＹＥＳ」になり、ステップＳＤ１７に進む。ステップＳＤ１７では、再生位置と録画位置とが一致しているか否か、つまり追いかけ再生位置が現在の録画位置に追いついたかどうかを判断する。現在の録画位置に追いついていなければ、判断結果は「ＮＯ」になり、前述のステップＳＤ２０（図１３参照）に進む。一方、例えば早送り再生により追いかけ再生位置が現在の録画位置に追いついた場合には、上記ステップＳＤ１７の判断結果が「ＹＥＳ」になり、ステップＳＤ１８に進む。
【００６４】
ステップＳＤ１８を介して再生停止処理が実行されると、システムコントローラ１５は、第１実施形態と同様、図７に図示するステップＳＢ１に処理を進め、追いかけ再生の停止を録画再生部１７に指示する。次いで、ステップＳＢ２では、ＡＶ出力部１８に対して、ＡＶデコーダ１６から出力される受信内容（映像データおよび音声データ）に基づき映像表示および音声出力するよう指示する。そして、ステップＳＢ３に進み、再生フラグＰＦをゼロリセットした後、図１２に図示するステップＳＤ１９に処理を進める。
【００６５】
ステップＳＤ１９を介して録画停止処理が実行されると、システムコントローラ１５は、第１実施形態と同様、図８に図示するステップＳＣ１に処理を進め、録画停止を録画再生部１７に指示し、続くステップＳＣ２では、これまで録画した内容の消去を録画再生部１７に指示する。そして、ステップＳＣ３に進み、録画フラグＲＦをゼロリセットした後、前述のステップＳＤ２０（図１３参照）に進む。
【００６６】
一方、ＯＳＤ表示中の番組内容をタイムシフト再生にて視聴している状態でチャンネル変更されると、前述したステップＳＤ９（図１１参照）の判断結果が「ＹＥＳ」になり、ステップＳＤ１０に進み、再生フラグＰＦが「１」であるか否かを判断する。追いかけ再生中であると、再生フラグＰＦは「１」なので、ここでの判断結果は「ＹＥＳ」になり、ステップＳＤ１１に進む。
【００６７】
ステップＳＤ１１を介して再生停止処理が実行されると、システムコントローラ１５は、第１実施形態と同様、図７に図示するステップＳＢ１に処理を進め、追いかけ再生の停止を録画再生部１７に指示する。次いで、ステップＳＢ２では、ＡＶ出力部１８に対して、ＡＶデコーダ１６から出力される受信内容（映像データおよび音声データ）に基づき映像表示および音声出力するよう指示する。そして、ステップＳＢ３に進み、再生フラグＰＦをゼロリセットした後、図１１に図示するステップＳＤ１２に処理を進める。
【００６８】
ステップＳＤ１２では、録画フラグＲＦが「１」であるか否かを判断する。録画中であると、判断結果は「ＹＥＳ」になり、ステップＳＤ１３に進む。ステップＳＤ１３を介して再生停止処理が実行されると、システムコントローラ１５は、第１実施形態と同様、図８に図示するステップＳＣ１に処理を進め、録画停止を録画再生部１７に指示し、続くステップＳＣ２では、これまで録画した内容の消去を録画再生部１７に指示する。そして、ステップＳＣ３に進み、録画フラグＲＦをゼロリセットした後、前述したステップＳＤ１４以降を実行して、変更されたチャンネル番号ＣＨの放送を選局受信させる。
【００６９】
以上説明したように、第２実施形態では、電子番組表ＥＰＧなどの各種機能画面を呼出すポップアップ指示があると、システムコントローラ１５は、受信している番組の録画開始を録画再生部１７に指示し、ユーザがタイムシフト再生を選択すると、ポップアップ指示に応じて操作画面がＯＳＤ表示されている間に録画した番組内容を追いかけ再生し、その再生位置が録画位置に追いついた時点で追いかけ再生および録画を停止させるので、ＯＳＤ表示中の番組見逃しを防止することができる。
【図面の簡単な説明】
【００７０】
【図１】本発明の第１実施形態による放送受信装置の構成を示すブロック図である。
【図２】第１実施形態のメインルーチンの動作を示すフローチャートである。
【図３】第１実施形態のメインルーチンの動作を示すフローチャートである。
【図４】第１実施形態のメインルーチンの動作を示すフローチャートである。
【図５】第１実施形態のメインルーチンの動作を示すフローチャートである。
【図６】第１実施形態のメインルーチンの動作を示すフローチャートである。
【図７】再生停止処理の動作を示すフローチャートである。
【図８】録画停止処理の動作を示すフローチャートである。
【図９】パスワード入力画面の一例を示す図である。
【図１０】第２実施形態のメインルーチンの動作を示すフローチャートである。
【図１１】第２実施形態のメインルーチンの動作を示すフローチャートである。
【図１２】第２実施形態のメインルーチンの動作を示すフローチャートである。
【図１３】第２実施形態のメインルーチンの動作を示すフローチャートである。
【図１４】第２実施形態のメインルーチンの動作を示すフローチャートである。
【符号の説明】
【００７１】
１０  チューナ
１１  復調部
１２  デマルチプレクサ
１３  番組情報処理部
１４  入力部
１５  システムコントローラ
１６  ＡＶデコーダ
１７  録画再生部
１８  ＡＶ出力部
【図１】
2006345378.tif 000003
【図２】
2006345378.tif 000004
【図３】
2006345378.tif 000005
【図４】
2006345378.tif 000006
【図５】
2006345378.tif 000007
【図６】
2006345378.tif 000008
【図７】
2006345378.tif 000009
【図８】
2006345378.tif 000010
【図９】
2006345378.tif 000011
【図１０】
2006345378.tif 000012
【図１１】
2006345378.tif 000013
【図１２】
2006345378.tif 000014
【図１３】
2006345378.tif 000015
【図１４】
2006345378.tif 000016